(57)【要約】      （修正有） 【課題】撮影用レンズがカメラ前面に設けられているデジタルカメラまたは銀塩フィルムカメラを用いて自分自身を撮影するときに、少なくとも自分自身が撮影画面内に正しく入っていることを確認してから撮影することのできる自己撮影用ミラーの提供。【解決手段】撮影用レンズ６０を備えるカメラ前面２ａに着脱自在であり、かつカメラを保持した自分自身を少なくとも撮影するときに用いられる自己撮影用ミラー１であって、カメラ前面に対する粘着力を有する粘着層３を裏面に設けるとともに、腕の長さでカメラを保持し撮影用レンズ６０に向き合ったときに、顔から上半身付近までを映す直径２ｃｍ以下の凸面鏡４を備える。【選択図】図２
2005208217.tif 000002
【特許請求の範囲】
【請求項１】
略腕の長さの距離で顔から上半身付近までを映す直径２ｃｍ以下の凸面鏡の裏面に、撮影用レンズを配設したカメラ前面に対する粘着力を有する粘着層を設けたことを特徴とする自己撮影用ミラー。
【請求項２】
前記粘着層は、水洗で前記粘着力が繰り返し復活する特殊粘着樹脂層であることを特徴とする請求項１に記載の自己撮影用ミラー。
【請求項３】
前記凸面鏡は、鏡面を覆うとともに開閉可能な蓋部材を備えることを特徴とする請求項１または２に記載の自己撮影用ミラー。
【発明の詳細な説明】
【技術分野】
【０００１】
本発明は、カメラを保持した自分自身を少なくとも撮影するために、腕の長さでカメラを保持し、撮影用レンズに向き合い、シャッター操作を行うことで撮影するときに、顔から上半身付近までが撮影画面内に入るようにする自己撮影用ミラーに関する。
【背景技術】
【０００２】
近年のカメラは銀塩フィルムカメラからデジタルカメラに移行しており、その便利さのために主流になりつつある。このデジタルカメラによれば撮影用レンズを有するカメラ前面と、例えば液晶表示部を配置したカメラ後面と、シャッターを配置したカメラ上面とを露出できれば撮影を行うことができる。
【０００３】
また、撮影用レンズを備えるＣＣＤ受光素子を設けた撮像部分をカメラ側面に対して回転自在に設けることで、撮像部分を１８０度回転してカメラ後面に配置された液晶表示部を見える状態でカメラを保持し、自分自身を撮影可能にしたタイプのデジタルカメラも知られている。
【０００４】
さらに、カメラ機能付き携帯電話の一部機種によれば、腕の長さで保持し撮影用レンズに向き合ったときに、顔から上半身付近までを映すようにした凸状鏡面体を一体的に備えたものがある。
【０００５】
一方、撮影レンズを保護する部材を設け、この部材を移動させることにより撮影レンズをカメラ本体内に沈胴させて収納し、バッグなどに入れるときに嵩張らずかつレンズを保護することのできるレンズ付きフィルムカメラも提案されている。（特許文献１）
【特許文献１】特開平１１−０８４４６７号公報。
【発明の開示】
【発明が解決しようとする課題】
【０００６】
近年の小型デジタルカメラは、上記の特許文献１に記載されるように撮影レンズを保護するカバーがカメラに内蔵される構成が多くあり、撮影レンズを保護する部材を移動させることで撮影用レンズが自動的にカメラ前面から本体内に沈胴されて収納でき大変に便利なことからこのタイプが主流になりつつある。また、固定焦点レンズ式のデジタルカメラまたは銀塩フィルムカメラにおいても撮影用レンズはカメラ前面に固定されている。
【０００７】
このように撮影用レンズがカメラ前面に設けられているデジタルカメラまたは銀塩フィルムカメラを用いて自分自身または仲間とともに撮影するためには、三脚に固定して液晶表示部またはファインダーを見て自分自身または仲間が撮影画面内に入っていることを確認した後に、自動シャッター機能を用いて撮影するか、または仲間の１人に頼むか、あるいは他人に頼む方法しかない。
【０００８】
したがって、本発明は上記の問題点に鑑みて成されたものであり、撮影用レンズがカメラ前面に設けられているデジタルカメラまたは銀塩フィルムカメラを用いて自分自身を撮影するときに、少なくとも自分自身が撮影画面内に正しく入っていることを確認してから撮影することのできる自己撮影用ミラーの提供を目的としている。
【課題を解決するための手段】
【０００９】
上述した課題を解決し、目的を達成するために、本発明によれば、略腕の長さの距離で顔から上半身付近までを映す直径２ｃｍ以下の凸面鏡の裏面に、撮影用レンズを配設したカメラ前面に対する粘着力を有する粘着層を設けたことを特徴としている。
【００１０】
また、前記粘着層は、水洗で前記粘着力が繰り返し復活する特殊粘着樹脂層であることを特徴としている。
【００１１】
そして、前記凸面鏡は、鏡面を覆うとともに開閉可能な蓋部材を備えることを特徴としている。
【発明の効果】
【００１２】
本発明によれば、撮影用レンズがカメラ前面に設けられているデジタルカメラまたは銀塩フィルムカメラを用いて自分自身を撮影するときに、少なくとも自分自身が撮影画面内に正しく入っていることを確認してから撮影することができる。
【発明を実施するための最良の形態】
【００１３】
以下に本発明の好適な一実施形態について、添付図面を参照して説明する。
【００１４】
ここで、以下の実施形態ではカメラとして撮影用レンズを有するカメラ前面と液晶表示部を配置したカメラ後面と、シャッターを配置したカメラ上面とを備え、望ましくは撮影レンズが３倍光学ズームの場合には沈胴するタイプ、または固定焦点レンズを備えた小型偏平の箱型のデジタルカメラに使用される自己撮影用ミラーについて主に述べる。
【００１５】
無論これらの機種に限定されず各種形状のデジタルカメラにも使用でき、さらに後述するように多少面倒な操作になるが銀塩フィルムカメラを用いて自分自身を撮影する場合にも使用できる。
【００１６】
先ず、図１(ａ)はデジタルカメラ２をカメラ前面側から見た外観斜視図、(ｂ)はデジタルカメラ２をカメラ後面側から見た外観斜視図である。
【００１７】
本図において、このデジタルカメラ２は沈胴式または固定焦点式の撮影用レンズ６０をやや左寄りに設けたカメラ前面２ａと、この裏面側において液晶表示部４０を備えたカメラ後面２ｂと、シャッター５０を設けたカメラ上面２ｃとカメラ左面２ｅとカメラ右面２ｆとを設けた偏平箱状に形成されており、胸ポケットなどに入れた状態で収納できるようにして携帯性を良好にしている。また、このデジタルカメラ２はカメラ下面２ｄにおいて三脚などに固定される固定用ねじ穴２ｋを設けている。
【００１８】
次に、図２(ａ)は、図１のデジタルカメラ２に自己撮影用ミラー１を取りつけた後の正面図であり、(ｂ)は(ａ)のＸ−Ｘ線矢視断面図であって自己撮影用ミラー１の右側面図を兼ねた図である。
【００１９】
図２において、自己撮影用ミラー１は撮影用レンズ６０を備えるカメラ前面２ａに着脱自在に設けられており、半永久的にその場に取り付けておくこともできる。この自己撮影用ミラー１は、図示のように撮影用レンズ６０の近くに取りつけられることで、撮影用レンズ６０による撮影画像と略同じ画像の一部を円形に映すことができるとともに、上下左右の方向性を気にせずに取り付けることができるようにしている。
【００２０】
この自己撮影用ミラー１は、略腕の長さでデジタルカメラ２を保持して撮影用レンズ６０に向き合ったときに、顔から上半身付近までを映す直径２ｃｍ、望ましくは１ｃｍ前後の凸面鏡４として準備される。この凸面鏡４は所定強度を有する樹脂材料から一体射出成型された部品に、スパッタリングで鏡面を形成することで品質が安定し、かつ低コストで量産できるようになるが、ガラス製でも良い。
【００２１】
この凸面鏡４は円形の基部５に接着されるか、または基部５を含むように一体形成されており、この基部５において粘着層３を敷設している。この粘着層３は、水洗で粘着力が繰り返し復活する特殊粘着樹脂層であるとさらに良く、この場合には繰り返しの着脱において粘着層３が、埃、指油などで汚染されて粘着力が低下した場合において、簡単に粘着力を回復することができる。また、上記のように半永久的に取り付ける場合には、所謂両面粘着・接着テープを粘着層３に用いることもできる。
【００２２】
図３(ａ)は自己撮影用ミラー１を取り付けたデジタルカメラの使用状態を示す正面図、(ｂ)はデジタルカメラの使用状態を示す背面図である。
【００２３】
本図において、撮影用レンズ６０がカメラ前面に設けられているデジタルカメラ２を用いて自分自身を撮影するときに、自分自身が自己撮影用ミラー１の内部に正しく入っていることを確認する。このために、液晶表示部４０内に自分の顔乃至上半身が入る位置になるように自己撮影用ミラー１を固定するための調整を前もって行う。次に、シャタッター５０を自分で操作して撮影する。
【００２４】
以上のように腕を延ばしてカメラを保持した状態で、撮影画像と略同じ画像の一部を円形に自己撮影具１に映すことで、正しい自己撮影を行うことができる。
【００２５】
次に、図４は、凸面鏡４に、鏡面を覆うとともに開閉可能な蓋部材７を設けた様子を示した外観斜視図である。本図において、自己撮影具１を図示のようなケース６に入れておき、使用するときに蓋部材７を明けるようにすれば鏡面の保護および汚れ防止を図ることができる。また、ケース６をカメラストラップ９に固定するようにすれば紛失の虞がなくなる。
【００２６】
以上のように撮影用レンズ６０を自分側に向けた状態でデジタルカメラ２のシャッター５０を操作して撮影するときに確実に自分を撮影できる。また、背後の仲間、風景や建物などとの構図を考えてバランス良く配置して撮影することもできる。
【００２７】
上記の銀塩フィルムカメラを用いて自分自身を撮影するために自己撮影用ミラー１を使用する場合には、撮影用レンズ付近の最適位置が決まるまで数回の自己撮影を行い現像焼付けをする作業が加わることになるが、初回に自己撮影用ミラー１の取りつけ位置が決まれば、それ移行は問題なく自己撮影を行うことができる。
【図面の簡単な説明】
【００２８】
【図１】(ａ)はデジタルカメラ２をカメラ前面側から見た外観斜視図、(ｂ)はデジタルカメラ２をカメラ後面側から見た外観斜視図である。
【図２】(ａ)は自己撮影用ミラー１をデジタルカメラに取りつけた様子を示した正面図、(ｂ)は自己撮影用ミラー１の右側面図である。
【図３】(ａ)は自己撮影用ミラー１を取り付けたデジタルカメラの使用状態を示す正面図、(ｂ)はデジタルカメラの使用状態を示す背面図である。
【図４】自己撮影用ミラー１の外観斜視図である。
【符号の説明】
【００２９】
１  自己撮影用ミラー
２  デジタルカメラ
３  粘着層
４  凸面鏡
５  基部
６  ケース体
７  蓋部材
９  ストラップ
４０  液晶表示部
６０  撮影用レンズ
【図１】
2005208217.tif 000003
【図２】
2005208217.tif 000004
【図３】
2005208217.tif 000005
【図４】
2005208217.tif 000006